(57)【要約】【課題】調理台に光を照射でき、更にこの調理台へ効率的にマイナスイオンを放射できる画期的な調理台の上部に設けるレンジフードを提供することを課題とする。【解決手段】通電することで発光し、この発光に伴ってマイナスイオンａを発生するマイナスイオン発生発光部３を、調理台１の上部に設けるフード体２の所定位置に配設し、このマイナスイオン発生発光部３が発光した光が前記フード体２の下部の調理台１に照射する位置にこのマイナスイオン発生発光部３を設けて、このマイナスイオン発生発光部３を照明部３として構成し、且つこの照明部３が発生する前記マイナスイオンａも前記フード体２の下部の調理台１へ放射されるように構成した調理台１の上部に設けるレンジフード。【選択図】図４
0003120832.tif 000002
【実用新案登録請求の範囲】
【請求項１】
通電することで発光し、この発光に伴ってマイナスイオンを発生するマイナスイオン発生発光部を、調理台の上部に設けるフード体の所定位置に配設し、このマイナスイオン発生発光部が発光した光が前記フード体の下部の調理台に照射する位置にこのマイナスイオン発生発光部を設けて、このマイナスイオン発生発光部を照明部として構成し、且つこの照明部が発生する前記マイナスイオンも前記フード体の下部の調理台へ放射されるように構成したことを特徴とする調理台の上部に設けるレンジフード。
【請求項２】
前記フード体に設けた前記照明部の配設位置を、前記フード体の前記調理台と対向する位置に設定したことを特徴とする請求項１記載の調理台の上部に設けるレンジフード。
【請求項３】
前記フード体は、前記調理台に向けて開口する吸気用開口部を有し、この吸気用開口部を介して前記調理台からの排煙をフード体内に吸気して且つこのフード体内から排気口へと強制排気する排気用ファンをこのフード体の内方に設けた構成とすると共に、このフード体の内方にして前記吸気用開口部から吸気された前記排煙が前記排気口へと導通する排煙導通路と異なるこのフード体の内方の所定位置に前記照明部を設けた構成としたことを特徴とする請求項１，２のいずれか１項に記載の調理台の上部に設けるレンジフード。
【請求項４】
前記フード体は、このフード体の下端部の後方側を閉塞して前方側を前記調理台からの排煙を吸気する吸気用開口部とした構成とし、このフード体の下端部の後方側を閉塞する底部材に前記照明部を設けた構成としたことを特徴とする請求項２，３のいずれか１項に記載の調理台の上部に設けるレンジフード。
【請求項５】
前記フード体は、このフード体の内方にしてこのフード体の下端部の後方側を閉塞する前記底部材から所定間隔を介して上方位置に前記排気用ファンを設けた構成とし、この底部材の前記排気用ファンとの間隔スペースに前記照明部を配設するための照明部配設スペースを形成してこの照明部配設スペースに前記照明部を配設した構成としたことを特徴とする請求項４記載の調理台の上部に設けるレンジフード。
【請求項６】
前記フード体の前記閉塞部は、このフード体の内方の前記排煙導通路の所定位置にしてこのフード体の吸気用開口部と排気用ファンとの中間位置に設けるフィルタの下端側を取付固定するフィルタ取付用底部材としたことを特徴とする請求項４，５のいずれか１項に記載の調理台の上部に設けるレンジフード。
【考案の詳細な説明】
【技術分野】
【０００１】
本考案は、調理台からの排煙を吸気して換気を行う調理台の上部に設けるレンジフードに関するものである。
【背景技術】
【０００２】
従来から、例えば森林浴効果によるリラックス作用や精神安定，集中力向上，ストレス緩和など、人体への種々の効能や、例えば抗菌作用や脱臭作用，塵やホコリの集塵作用，花粉などのアレルゲンの除去作用など、種々の空気清浄の効能があるとされるマイナスイオンが注目されている。
【０００３】
このマイナスイオンを発生する装置は、これまでにも種々提案されており、その一つとして、例えば、通電することで発光し、この発光に伴って（通電に伴って）マイナスイオンを発生するように構成した、所謂マイナスイオン発生電球が従来からある。
【０００４】
このマイナスイオン発生電球は、通常の電球と同様に通電により発光するだけでなく、例えば、このマイナスイオン発生電球に設けた電極からのコロナ放電（二つの電極の間に局部的に高電圧が生じ、この電極の周りに強い不均一電界が生じたときに局部的に（電界の強い部分で）空気の絶縁が破れて起こる局部放電現象）によって空気を電離させ、空気をマイナスに帯電させることでマイナスイオンを発生できるものである。
【０００５】
このマイナスイオン発生電球によれば、照明としての機能だけでなく、例えばリラックス作用などの人体への効能や空気の清浄作用などの種々のマイナスイオンの効能をも発揮できるものである。
【考案の開示】
【考案が解決しようとする課題】
【０００６】
本考案は、例えば上記マイナスイオン発生電球のように、発光するだけでなくマイナスイオンの発生をも行うマイナスイオン発生発光部を、調理台の上部に設けるフード体の所定位置に配設して、このマイナスイオン発生発光部を前記フード体の下部の調理台に光を照射する位置に設け、照明部として構成することで、調理時には、調理者の手元をこの照明部によって照らし、良好に調理が行えるだけでなく、この調理台からの排煙をフード体に吸気して換気しつつ、マイナスイオンで調理台の生臭さの脱臭や防菌を行うことができ、調理後も、調理によって汚れた調理台をマイナスイオンで脱臭したり除菌できる新規な調理台の上部に設けるレンジフードを提供すること課題とする。
【課題を解決するための手段】
【０００７】
添付図面を参照して本考案の要旨を説明する。
【０００８】
通電することで発光し、この発光に伴ってマイナスイオンａを発生するマイナスイオン発生発光部３を、調理台１の上部に設けるフード体２の所定位置に配設し、このマイナスイオン発生発光部３が発光した光が前記フード体２の下部の調理台１に照射する位置にこのマイナスイオン発生発光部３を設けて、このマイナスイオン発生発光部３を照明部３として構成し、且つこの照明部３が発生する前記マイナスイオンａも前記フード体２の下部の調理台１へ放射されるように構成したことを特徴とする調理台の上部に設けるレンジフード。
【０００９】
また、前記フード体２に設けた前記照明部３の配設位置を、前記フード体２の前記調理台１と対向する位置に設定したことを特徴とする請求項１記載の調理台の上部に設けるレンジフードに係るものである。
【００１０】
また、前記フード体２は、前記調理台１に向けて開口する吸気用開口部２ａを有し、この吸気用開口部２ａを介して前記調理台１からの排煙４をフード体２内に吸気して且つこのフード体２内から排気口７へと強制排気する排気用ファン５をこのフード体２の内方に設けた構成とすると共に、このフード体２の内方にして前記吸気用開口部２ａから吸気された前記排煙４が前記排気口７へと導通する排煙導通路６と異なるこのフード体２の内方の所定位置に前記照明部３を設けた構成としたことを特徴とする請求項１，２のいずれか１項に記載の調理台の上部に設けるレンジフードに係るものである。
【００１１】
また、前記フード体２は、このフード体２の下端部の後方側を閉塞して前方側を前記調理台１からの排煙４を吸気する吸気用開口部２ａとした構成とし、このフード体２の下端部の後方側を閉塞する底部材２ｂに前記照明部３を設けた構成としたことを特徴とする請求項２，３のいずれか１項に記載の調理台の上部に設けるレンジフードに係るものである。
【００１２】
また、前記フード体２は、このフード体２の内方にしてこのフード体２の下端部の後方側を閉塞する前記底部材２ｂから所定間隔を介して上方位置に前記排気用ファン５を設けた構成とし、この底部材２ｂの前記排気用ファン５との間隔スペースに前記照明部３を配設するための照明部配設スペース８を形成してこの照明部配設スペース８に前記照明部３を配設した構成としたことを特徴とする請求項４記載の調理台の上部に設けるレンジフードに係るものである。
【００１３】
また、前記フード体２の前記閉塞部２ｂは、このフード体２の内方の前記排煙導通路６の所定位置にしてこのフード体２の吸気用開口部２ａと排気用ファン５との中間位置に設けるフィルタ９の下端側を取付固定するフィルタ取付用底部材２ｂとしたことを特徴とする請求項４，５のいずれか１項に記載の調理台の上部に設けるレンジフードに係るものである。
【考案の効果】
【００１４】
本考案は上述のように構成したから、フード体の下部の調理台に光を照射する位置に設けて照明部として構成したマイナスイオン発生発光部に通電することで、このフード体の下部の調理台に光を照射できる。
【００１５】
また、この照明部の発光に伴って発生するマイナスイオンも前記フード体の下部の調理台に放射でき、マイナスイオンによる種々の作用（例えば、調理台の生臭さの脱臭や抗菌，調理台で調理する調理者へのリラックス作用，調理場の空気浄化作用など）を発揮できる。
【００１６】
よって、本考案は、調理台の上部に設けるレンジフードに設けた照明部が、調理台に光を照射する照明としての機能に加え、マイナスイオンを発生する機能をも兼ね備えた構成であるから、手暗がりな調理台を照らして調理を良好に行えるだけでなく、マイナスイオンによって例えば調理台の脱臭や抗菌作用，この調理台で調理する調理者へのリラックス作用，調理場の空気浄化作用などの種々の効能を発揮でき、しかも、調理台の上部のフード体の所定位置に照明部を配設している、即ち調理台の上部からこの調理台へ集中的且つ効率的にマイナスイオンを放射できる位置に照明部を配設しているので、それだけこの調理台やこの調理台で調理する調理者に対して特に効率的にマイナスイオンの効能を発揮でき、例えば調理時には、調理台の排煙の換気を行いながら調理台の生臭さを脱臭したり、調理者にリラックス作用を付与したりでき、また、調理後には、調理場の空気を浄化しつつ調理によって汚れた調理台を効率的に脱臭したり抗菌したりできるなど、極めて実用性に秀れた画期的で実用性に秀れた調理台の上部に設けるレンジフードとなる。
【００１７】
また、請求項２記載の考案においては、照明部が光を照射したい、且つマイナスイオンを放射したい調理台と対向位置に設定されるので、それだけこの照明部の光を調理台に一層確実且つ効率的に照射でき、且つこの照明部が発生するマイナスイオンを調理台へ一層確実且つ効率的に放射でき、本考案の秀れた機能が一層確実に発揮される秀れた調理台の上部に設けるレンジフードとなる。
【００１８】
また、請求項３記載の考案においては、例えば、排気用ファンの吸気力によって、照明部が発生するマイナスイオンの多くをフード体の内方に吸気されて排気口から排出してしまうことなく、排気用ファンの稼働による換気時においても確実に照明部から調理台や調理台で調理する調理者へマイナスイオンを放射でき、よって、調理台での調理時（排煙の換気時）においても照明部が発生するマイナスイオンにより確実に調理台や調理者に対してマイナスイオンの種々の効能を発揮でき、それでいて照明部をフード体の外面部などに設けるのではないので、外観や体裁が悪かったり、無駄な方向に光を照射したりマイナスイオンを放射する問題も無いなど、一層実用性に秀れた調理台の上部に設けるレンジフードとなる。
【００１９】
また、請求項４記載の考案においては、照明部を配設する位置が、照明部の光を確実にフード体の下部の調理台に照射でき、且つ照明部が発生するマイナスイオンを確実にフード体の下部の調理台へ放射できる最適な位置となり、簡易に設計実現可能で一層実用性に秀れた調理台の上部に設けるレンジフードとなる。
【００２０】
また、請求項５，６記載の考案においては、例えばこの種の一般的なレンジフードに予め設けられている、底部材（例えばフィルタを取付固定する為のフィルタ取付用底部材）と排気用ファンとの間隙スペースを前記照明部を設けるための照明部配設スペースとして利用するから、一層簡易に設計実現可能な調理台の上部に設けるレンジフードとなる。
【考案を実施するための最良の形態】
【００２１】
好適と考える本考案の実施形態（考案をどのように実施するか）を、図面に基づいて本考案の作用を示して簡単に説明する。
【００２２】
調理台１の上部に設けるフード体２の所定位置に配設したマイナスイオン発生発光部３に通電すると、このマイナスイオン発生発光部３が発光すると共にマイナスイオンａを発生する。
【００２３】
このマイナスイオン発生発光部３は、発光した光が前記フード体２の下部の調理台１に照射する位置に設けて、このマイナスイオン発生発光部３を照明部３として構成しているので、この照明部３によって前記調理台１に光を照射し、例えば調理台１で調理を行う調理者の手元を照らすことができる。
【００２４】
また、この照明部３は、この照明部３が発生する前記マイナスイオンａも前記フード体２の下部の調理台１へ放射されるように構成しているので、この照明部３によって調理台１に放射されたマイナスイオンａによって、例えば調理台１の脱臭や抗菌ができ、また、この調理台１で調理する調理者にも、この調理台１に放射されるマイナスイオンａによるリラックス作用や精神安定などの効能を付与できる。
【００２５】
また、このフード体２に設けた前記照明部３の配設位置は、例えば、前記フード体２の前記調理台１と対向する位置に設定すれば、この照明部３が、光を照射し且つマイナスイオンａを放射したい調理台１と対向位置となり、それだけこの照明部３が照射する光を確実且つ効率的に前記調理台１に照射でき、また、この照明部３が発生する前記マイナスイオンａも確実且つ効率的に前記調理台１に放射させ得ることとなる。
【００２６】
即ち、本考案は、調理台１の上部に設けるレンジフードに設けた照明部３が、調理台１に光を照射する照明としての機能に加え、マイナスイオンａを発生する機能をも兼ね備えた構成であるから、手暗がりな調理台１を照らして調理を良好に行えるだけでなく、マイナスイオンａによって例えば調理台１の脱臭や抗菌作用，この調理台で調理する調理者へのリラックス作用，調理場の空気浄化作用などの種々の効能を発揮でき、しかも、調理台１の上部のフード体２の所定位置に照明部３を配設している、即ち調理台１の上部からこの調理台１へ集中的且つ効率的にマイナスイオンａを放射できる位置に照明部３を配設しているので、それだけこの調理台１で調理する調理者に対して特に効率的にマイナスイオンａの効能が発揮されることとなる。
【００２７】
また、本考案は、例えば、前記フード体２は、前記調理台１に向けて開口する吸気用開口部２ａを有し、この吸気用開口部２ａを介して前記調理台１からの排煙４をフード体２内に吸気して且つこのフード体２内から排気口７へと強制排気する排気用ファン５をこのフード体２の内方に設けた構成とすると共に、このフード体２の内方にして前記吸気用開口部２ａから吸気された前記排煙４が前記排気口７へと導通する排煙導通路６と異なるこのフード体２の内方の所定位置に前記照明部３を設けた構成とすれば、前記排気用ファン５の吸気力により吸気された排煙４が排気口７へと強制排気される際に導通する排煙導通路６と異なる位置に照明部３を設けているので、それだけ排気用ファン５の吸気力の影響が排煙導通路６に比して小さい位置であり、たとえこの排気用ファン５が稼働している換気時であったとしても、前記照明部３が発生したマイナスイオンａを、確実に前記調理台１や調理台１で調理する調理者へ放射させ得ることとなる（仮に、フード体２の内方の排煙導通路６の所定位置に照明部３が位置した場合、排気用ファン５の吸気力によりこの照明部３が発生したマイナスイオンａの殆どが排気口７から排出されてしまう。）。
【００２８】
しかも、排気用ファン５に吸気されぬように、例えばフード体２の外面部に照明部３を設けた構成とした場合には、排出用ファン５の吸気力の影響は小さいものの、照明部３が外部から丸見えの状態で体裁が悪いうえに、例えば照明部３が放射状に放つ光が調理台１だけでなくフード２の外面部などの油汚れが目立つ余計な箇所まで照らしてしまい、この点においても体裁が悪く、しかもそれだけ光を無駄に利用するので効率が悪く、これを解決すべく、わざわざフード体２の外面部に設けた照明部３が発光する光をフード体２の直下に位置する調理台１に向けて指向させるための構成を別途設ける必要があり厄介であるなど、問題が生ずるが、この点、本考案においては、フード体２の内方にして排煙導通路６と異なる位置に照明部３を設けているので、このような問題は生じ得ない。
【００２９】
また、例えば、前記フード体２は、このフード体２の下端部の後方側を閉塞して前方側を前記調理台１からの排煙４を吸気する吸気用開口部２ａとした構成とし、このフード体２の下端部の後方側を閉塞する底部材２ｂに前記照明部３を設けた構成とした場合には、例えば上述の排煙導通路６と異なる前記排気用ファン５の吸気力の影響が確実に少ない位置で、しかもフード体２の下部の調理台１と確実に対向する位置に照明部３を設ける位置を設定することとなり、本考案の秀れた機能が確実に発揮される構成を簡易に達成できることとなる。
【００３０】
特に、前記フード体２は、このフード体２の内方にしてこのフード体２の下端部の後方側を閉塞する前記底部材２ｂから所定間隔を介して上方位置に前記排気用ファン５を設けた構成とし、この底部材２ｂの前記排気用ファン５との間隔スペースに前記照明部３を配設するための照明部配設スペース８を形成してこの照明部配設スペース８に前記照明部３を配設した構成とした場合には、フード体２の底部材２ｂと排気用ファン５との間隙スペースは、この種の一般的なレンジフードに予め設けられている底部材２ｂ（例えば、このフード体２の内方の前記排煙導通路６の所定位置にしてこのフード体２の吸気用開口部２ａと排気用ファン５との中間位置に設けるフィルタ９の下端側を取付固定するためにこの種の一般的なレンジフードに予め設けられているフィルタ取付用底部材２ｂ）と排気用ファン５との間隙スペースであって、この既存のスペースを前記照明部３を配設する照明部配設スペース８として利用する構成となるので、容易に設計実現可能で一層実用性に秀れることとなる。
【実施例】
【００３１】
本考案の具体的な実施例について図面に基づいて説明する。
【００３２】
本実施例は、通電することで発光し、この発光に伴ってマイナスイオンａを発生するマイナスイオン発生発光部３を、調理台１の上部に設けるフード体２の所定位置に配設し、このマイナスイオン発生発光部３が発光した光が前記フード体２の下部の調理台１に照射する位置にこのマイナスイオン発生発光部３を設けて、このマイナスイオン発生発光部３を照明部３として構成し、且つこの照明部３が発生する前記マイナスイオンａも前記フード体２の下部の調理台１へ放射されるように構成した調理台１の上部に設けるレンジフードである。
【００３３】
調理台１は、図４に図示したように、キッチンなどに設置され、加熱調理などを行う一般的な既存の調理台１である。
【００３４】
この調理台１の上部に設けるフード体２は、図１及び図２に図示したように、前記調理台１に向けて開口する吸気用開口部２ａを有し、この吸気用開口部２ａを介して前記調理台１からの排煙４をフード体２内に吸気して且つこのフード体２内から排気口７へと強制排気する排気用ファン５をこのフード体２の内方に設けた構成としている。
【００３５】
具体的には、フード体２は、図１及び図２に図示したように、後方側が排気用ファン５及び排気口７を有する基部２Ａ、前方側がカバー部２Ｂであり、前記基部２Ａの前方側に着脱自在にカバー部２Ｂを取り付けて成る構成としている。
【００３６】
尚、このフード体２のカバー部２Ｂの前面下部測に、前記排気用ファン５の稼動及び前記照明部３の通電ＯＮ／ＯＦＦを切り替える操作部11を設けている。
【００３７】
また、このフード体２の基部２Ａの下部後方側には底部材２ｂを設けており、この基部２Ａにカバー体２Ｂを取り付けた際に、図１に図示したように、前記フード体２は、このフード体２の下端部の後方側を前記底部材２ｂによって閉塞され、前方側を前記調理台１からの排煙４を吸気する吸気用開口部２ａとした構成としている。
【００３８】
尚、この基部２Ａの下部後方側に設けた底部材２ｂは、後述のフィルタ９の下端側を取付固定するフィルタ取付用底部材２として構成している。
【００３９】
また、図４に図示したように、このフード体２の内方にして、このフード体２の基部２Ａに設けた前記フィルタ取付用底部材２ｂの上方位置に、このフィルタ取付用底部材２ｂから所定間隔を介して前記排気用ファン５を設けた構成としている。尚、この排気用ファン５は、この種のレンジフードに採用される一般的な排気用ファン５と同様の構成としている。
【００４０】
このフード体２の基部２Ａの背面（図４中，右側面）に排気口７を設けており、図４に図示したように、調理台１の上部にして壁面に設けた排気路10にこのフード体２の基部２Ａの背面の排気口７を連通状態にして、このフード体２の吸気用開口部２ｂが前記調理台１の鉛直上方に位置するようにこのフード体２を調理台１の上部に設置（フード体２の基部２Ａの背面を壁面に固定）した構成である。
【００４１】
従って、図４に図示したように、前記排気用ファン５を稼動させると、調理台１から立ち上がる排煙４が、前記排気用ファン５の吸気力により吸気用開口部２ａを介してフード体２の内方に吸気され、このフード体２の排煙導通路６を介してこのフード体２の背面側の排気口７から、排気路10を通じて外部に強制排気される。
【００４２】
尚、このフード体２内方の前記排煙導通路６の所定位置にしてこのフード体２の吸気用開口部２ａと排気用ファン５との中間位置には、図２及び図４に図示したように、フィルタ９を配設している。具体的には、図４に図示したように、板状の一対のフィルタ９の上端部を夫々前記フード体２の基部２Ａの上部前面側に係止し、下端側を夫々前記フード体２の基部２Ｂのフィルタ取付用底部材２ｂに各止着部材９ａによって止着して、この一対のフィルタ９をこのフード体２の内方に取付固定した構成である。
【００４３】
このフード体２に設けた前記照明部３の配設位置は、本実施例においては、前記フード体２の前記調理台１と対向する位置に設定している。具体的には、図２及び図４に図示したように、このフード体２の内方にして前記吸気用開口部２ａから吸気された前記排煙４が前記排気口７へと導通する排煙導通路６と異なるこのフード体２の内方の所定位置に前記照明部３の配設位置を設定している。
【００４４】
更に具体的には、フード体２の下端部の後方側を閉塞するフィルタ取付用底部材２ｂに前記照明部３を設けた構成としており、図４に図示したように、このフィルタ取付用底部材２ｂの前記排気用ファン５との間隔スペースを、前記照明部３を配設するための照明部配設スペース８として構成しており、図３及び図４に図示したように、フィルタ取付用底部２ｂから前記フード体２の内方側（上方側）に向けて凹状の指向部13を設け、この指向部13内に、マイナスイオン発生電球14を埋設状態に配設した構成である。
【００４５】
このマイナスイオン発生電球14は、通電により発光すると共にマイナスイオンａを発生するマイナスイオン発生機能を有する既存のマイナスイオン発生電球14を採用する。
【００４６】
また、前記指向部13は、図３に図示したように、断面半円状の凹状内面を有すると共にこの内面は前記マイナスイオン発生電球14の発光した光を反射してフード体２の下部の前記調理部１に指向する構成である。
【００４７】
また、図３に図示したように、フィルタ取付用底部材２ｂに凹設した前記指向部13の下部開口を回動自在に閉塞するカバー体３ａと、このカバー体３ａを閉塞状態に止着固定する止着部材３ｂとを設けた構成である。
【００４８】
また、図中，符号12は、排気用ファン５及び照明部３に通電するコンセント12である。
【００４９】
尚、本考案は、本実施例に限られるものではなく、各構成要件の具体的構成は適宜設計し得るものである。
【図面の簡単な説明】
【００５０】
【図１】本考案に係る調理台１の上部に設けるレンジフードの説明斜視図である。
【図２】本考案に係る調理台１の上部に設けるレンジフードの説明斜視図である。
【図３】本考案に係る調理台１の上部に設けるレンジフードの照明部３を示す説明図である。
【図４】本考案に係る調理台１の上部に設けるレンジフードの使用状態を示す図である。
【符号の説明】
【００５１】
１  調理台
２  フード体
２ａ  吸気用開口部
２ｂ  底部材，フィルタ取付用底部材
３  マイナスイオン発生発光部，照明部
４  排煙
５  排気用ファン
６  排煙導通路
７  排気口
８  照明部配設スペース
９  フィルタ
ａ  マイナスイオン
【図１】
0003120832.tif 000003
【図２】
0003120832.tif 000004
【図３】
0003120832.tif 000005
【図４】
0003120832.tif 000006